(57)【要約】【課題】組付工数を削減する。【解決手段】ブラシホルダ装置２０は、ハウジング３０と、ハウジング３０に形成された凹部４６と、凹部４６の開放端１００側に設けられた第１爪部１０２と、凹部４６の開放端１００側かつ第１爪部１０２よりもハウジング３０の径方向外側に設けられた第２爪部１０４と、を備えている。また、ブラシホルダ装置２０は、ブラシ３２と、ピッグテール３４と、スプリング３６と、を備えている。さらに、ブラシホルダ装置２０は、ハウジング３０の径方向外側から見て板厚方向に湾曲され凹部４６の開放口４６Ａを塞ぐ蓋部５０と、スプリング３６を支持する後壁部５２と、を有するブラシホルダ３８を備えている。ブラシホルダ３８は、その一部が凹部４６の開放端１００と第１爪部１０２との間に挟持されると共に他部が凹部４６の開放端１００と第２爪部１０４との間に挟持されることによってハウジング３０に組み付けられている。【選択図】図３
2015208212.tif 000002
【特許請求の範囲】
【請求項１】
環状に形成されたハウジングと、
前記ハウジングに形成され、前記ハウジングの径方向に延びる凹部と、
前記凹部の開放端側に設けられた支持部と、
前記凹部に収容されたブラシと、
前記ブラシから導出されたピッグテールと、
前記ブラシに対する前記ハウジングの径方向外側に配置されると共に、前記凹部に収容され、前記ブラシを前記ハウジングの径方向内側に付勢するスプリングと、
前記ハウジングの径方向外側から見て板厚方向に凸状に湾曲され前記凹部の開放口を塞ぐ蓋部と、前記蓋部における前記ハウジングの径方向外側の端部に折り曲げられて形成され前記スプリングを前記ハウジングの径方向外側から支持する後壁部と、を有し、前記凹部の開放端と前記支持部との間に前記蓋部が挟持されることによって前記ハウジングに組み付けられたブラシホルダと、
を備えたブラシホルダ装置。
【請求項２】
前記支持部は、前記ハウジングの径方向に離間して配置された第１支持部及び第２支持部を含んで構成されており、
前記凹部の開放端と前記第１支持部との間に前記蓋部の一部が挟持されると共に前記凹部の開放端と前記第２支持部との間に前記蓋部の他部が挟持されることによって前記ブラシホルダが前記ハウジングに組み付けられている請求項１記載のブラシホルダ装置。
【請求項３】
前記ブラシホルダが前記ハウジングに組み付けられた後の前記蓋部が、前記ブラシホルダが前記ハウジングに組み付けられる前の前記蓋部に比して撓んでいる請求項２記載のブラシホルダ装置。
【請求項４】
前記第２支持部と前記凹部の開放端との間のクリアランスが、前記蓋部の一部の前記凹部の開放方向への寸法よりも広く設定されている請求項２又は請求項３記載のブラシホルダ装置。
【請求項５】
前記蓋部における前記凹部の開放端と前記第１支持部との間に挟持されている部分と前記凹部の開放端と前記第２支持部との間に挟持されている部分との間の部分が、前記ハウジングと接している請求項２〜請求項４のいずれか１項に記載のブラシホルダ装置。
【請求項６】
前記蓋部における前記凹部の開放端と前記第１支持部との間に挟持されている部分と前記凹部の開放端と前記第２支持部との間に挟持されている部分との間の部分には、前記凹部の開放端側に向けて凸状に形成されていると共に該凹部の開放端と接する凸状部が形成されている請求項５記載のブラシホルダ装置。
【請求項７】
前記凹部の開放端において前記第１支持部と対向している部分と前記第２支持部と対向している部分との間の部分には、前記蓋部側に向けて凸状に形成されていると共に該蓋部と接する凸状部が形成されている請求項５記載のブラシホルダ装置。
【請求項８】
請求項１〜請求項７のいずれか一項に記載のブラシホルダ装置と、
前記ブラシと摺接される整流子を有する電機子と、
を備えた回転電機。
【発明の詳細な説明】
【技術分野】
【０００１】
本発明は、ブラシホルダ装置及び回転電機に関する。
【背景技術】
【０００２】
下記特許文献１には、環状に形成された樹脂製のハウジングと、このハウジングに組み付けられた板金製のブラシホルダと、ブラシホルダによって保持されたブラシと、を備えたブラシホルダ装置が開示されている。
【先行技術文献】
【特許文献】
【０００３】
【特許文献１】特開２０１１−２３４４３８号公報
【発明の概要】
【発明が解決しようとする課題】
【０００４】
このようなブラシホルダ装置では、コストダウンを図るためにも、ブラシホルダ及びブラシをハウジングに組み付ける際の組付工数が少ないことが望まれる。
【０００５】
本発明は上記事実を考慮し、組付工数を削減することができるブラシホルダ装置及び回転電機を得ることが目的である。
【課題を解決するための手段】
【０００６】
請求項１記載のブラシホルダ装置は、環状に形成されたハウジングと、前記ハウジングに形成され、前記ハウジングの径方向に延びる凹部と、前記凹部の開放端側に設けられた支持部と、前記凹部に収容されたブラシと、前記ブラシから導出されたピッグテールと、前記ブラシに対する前記ハウジングの径方向外側に配置されると共に、前記凹部に収容され、前記ブラシを前記ハウジングの径方向内側に付勢するスプリングと、前記ハウジングの径方向外側から見て板厚方向に凸状に湾曲され前記凹部の開放口を塞ぐ蓋部と、前記蓋部における前記ハウジングの径方向外側の端部に折り曲げられて形成され前記スプリングを前記ハウジングの径方向外側から支持する後壁部と、を有し、前記凹部の開放端と前記支持部との間に前記蓋部が挟持されることによって前記ハウジングに組み付けられたブラシホルダと、を備えている。
【０００７】
請求項１記載のブラシホルダ装置によれば、上記構成により、次の要領で組み立てることができる。すなわち、先ず、ハウジングに形成された凹部にブラシが収容される。ブラシには、予めピッグテールが接続されており、ブラシからは、ピッグテールが導出されている。次いで、スプリングが凹部に収容されると共に、蓋部と後壁部を有するブラシホルダがハウジングに組み付けられる。このとき、ブラシホルダは、ハウジングの径方向外側から組み付けられる。すなわち、ブラシホルダの蓋部が凹部の開放端と支持部との間に挿入され、ブラシホルダの蓋部が凹部の開放端と支持部との間に挟持されることによって、ブラシホルダがハウジングに組み付けられる。
【０００８】
このように、請求項１記載のブラシホルダ装置によれば、ハウジングにブラシを組み付けた後に、ブラシホルダの蓋部を凹部の開放端と支持部との間に挿入するという単純な工程により、ブラシホルダをハウジングに組み付けることができる。これにより、ブラシホルダ装置の組付工数を削減することができる。また、蓋部を上記のように湾曲させることによって、本発明のブラシホルダ装置を含んで構成されたモータに振動が加わった際に、或いは、凹部に収容されたブラシが軸方向に振動した際に、当該振動を蓋部が撓むことによって吸収することができる。
【０００９】
請求項２記載のブラシホルダ装置は、請求項１記載のブラシホルダ装置において、前記支持部は、前記ハウジングの径方向に離間して配置された第１支持部及び第２支持部を含んで構成されており、前記凹部の開放端と前記第１支持部との間に前記蓋部の一部が挟持されると共に前記凹部の開放端と前記第２支持部との間に前記蓋部の他部が挟持されることによって前記ブラシホルダが前記ハウジングに組み付けられている。
【００１０】
請求項２記載のブラシホルダ装置によれば、ブラシホルダの蓋部が凹部の開放端と第１支持部及び第２支持部との間に挿入され、蓋部の一部が凹部の開放端と第１支持部との間に挟持されると共に蓋部の他部が凹部の開放端と第２支持部との間に挟持されることによって、ブラシホルダがハウジングに組み付けられる。
【００１１】
このように、請求項２記載のブラシホルダ装置によれば、ハウジングにブラシを組み付けた後に、ブラシホルダの蓋部を凹部の開放端と第１支持部及び第２支持部との間に挿入するという単純な工程により、ブラシホルダをハウジングに組み付けることができる。これにより、ブラシホルダ装置の組付工数を削減することができる。
【００１２】
請求項３記載のブラシホルダ装置は、請求項２記載のブラシホルダ装置において、前記ブラシホルダが前記ハウジングに組み付けられた後の前記蓋部が、前記ブラシホルダが前記ハウジングに組み付けられる前の前記蓋部に比して撓んでいる。
【００１３】
請求項３記載のブラシホルダ装置によれば、蓋部の一部が凹部の開放端と第１支持部との間に挟持されると共に蓋部の他部が凹部の開放端と第２支持部との間に挟持されると、蓋部は曲率半径が大きくなるように撓む。ここで、本発明では、蓋部がハウジングの径方向外側から見て板厚方向に湾曲されていることにより、蓋部を凹部の開放端と第１支持部及び第２支持部との間にそのまま挿入することが可能となる。これに対して、蓋部がハウジングの周方向から見て板厚方向に湾曲されている場合にあっては、蓋部を凹部の開放端と第１支持部及び第２支持部との間に挿入する際に、当該蓋部の湾曲具合をチューニングしながら、当該蓋部を凹部の開放端と第１支持部及び第２支持部との間に挿入することが必要である。すなわち、当該構成においては、ブラシホルダの組み付け作業の自動化を図ることが難しいが、本発明では、ブラシホルダの組み付け作業の自動化を図ることが可能となる。
【００１４】
請求項４記載のブラシホルダ装置は、請求項２又は請求項３記載のブラシホルダ装置において、前記第２支持部と前記凹部の開放端との間のクリアランスが、前記蓋部の前記一部の前記凹部の開放方向への寸法よりも広く設定されている。
【００１５】
請求項４記載のブラシホルダ装置によれば、ブラシホルダをハウジングに組み付ける際に、蓋部において凹部の開放端と第１支持部との間に挟持される部分を凹部の開放端と第２支持部との間にフリクション感なく挿入させることができる。すなわち、本発明では、ブラシホルダのハウジングへの組み付け性を向上させることができる。
【００１６】
請求項５記載のブラシホルダ装置は、請求項２〜請求項４のいずれか１項に記載のブラシホルダ装置において、前記蓋部における前記凹部の開放端と前記第１支持部との間に挟持されている部分と前記凹部の開放端と前記第２支持部との間に挟持されている部分との間の部分が、前記ハウジングと接している。
【００１７】
請求項５記載のブラシホルダ装置によれば、蓋部における上記の部分がハウジングに接している。これにより、蓋部の固有周波数（固有振動数）を高くすることができる。これにより、蓋部が振動することによるノイズを低減することができる。
【００１８】
請求項６記載のブラシホルダ装置は、請求項５記載のブラシホルダ装置において、前記蓋部における前記凹部の開放端と前記第１支持部との間に挟持されている部分と前記凹部の開放端と前記第２支持部との間に挟持されている部分との間の部分には、前記凹部の開放端側に向けて凸状に形成されていると共に該凹部の開放端と接する凸状部が形成されている。
【００１９】
請求項７記載のブラシホルダ装置は、請求項５記載のブラシホルダ装置において、前記凹部の開放端において前記第１支持部と対向している部分と前記第２支持部と対向している部分との間の部分には、前記蓋部側に向けて凸状に形成されていると共に該蓋部と接する凸状部が形成されている。
【００２０】
請求項６及び請求項７記載のブラシホルダ装置によれば、凸状部の数及び配置を適宜設定することにより、蓋部の固有周波数を調節することができる。
【００２１】
請求項８記載の回転電機は、請求項１〜請求項７のいずれか一項に記載のブラシホルダ装置と、前記ブラシと摺接される整流子を有する電機子と、を備えている。
【００２２】
請求項８記載の回転電機によれば、請求項１〜請求項７のいずれか一項に記載のブラシホルダ装置を備えることにより、ブラシホルダ装置の組付工数を削減することができ、ひいては、回転電機の組付工数を削減することができる。
【図面の簡単な説明】
【００２３】
【図１】本発明の第１実施形態に係る回転電機の側面断面図である。
【図２】図１に示されるブラシホルダ装置の斜視図である。
【図３】ブラシホルダがハウジングに組み付けられた状態を模式的に示した模式側面図である。
【図４】図３に示された４−４線に沿って切断したブラシホルダ及びハウジングの一部の断面を拡大して示す拡大断面図である。
【図５】図３に示された５−５線に沿って切断したブラシホルダ及びハウジングの一部の断面を拡大して示す拡大断面図である。
【図６】ブラシホルダを模式的に示した模式平面図である。
【図７】ブラシホルダを模式的に示した模式側面図である。
【図８】図６に示された８−８線に沿って切断したブラシホルダの蓋部の断面を拡大して示す拡大断面図である。
【図９】図６に示された９−９線に沿って切断したブラシホルダの蓋部の断面を拡大して示す拡大断面図である。
【図１０】ブラシホルダの蓋部が凹部の開放端と第１爪部及び第２爪部との間に挿入される工程を示す図３に対応する模式側面図である。
【図１１】変形例に係るブラシホルダを示す平面図である。
【図１２】変形例に係るブラシホルダを示す側面図である。
【図１３】変形例に係るブラシホルダ及びハウジングの一部の断面を拡大して示す拡大断面図である。
【図１４】ブラシホルダ及び変形例に係るハウジングの一部の断面を拡大して示す図１３に対応する拡大断面図である。
【図１５】他の変形例に係るブラシホルダ及び他の変形例に係るハウジングを模式的に示す模式図である。
【発明を実施するための形態】
【００２４】
以下、図面に基づき、本発明の実施形態について説明する。
【００２５】
図１に示されるように、本発明の一実施形態に係る回転電機１０は、ブラシ付き直流モータであり、電機子１２と、ヨーク１４と、マグネット１６と、ブラシホルダ装置２０とを備えている。
【００２６】
電機子１２は、回転子であり、シャフト２２と、コア２４と、整流子２６と、巻線２８とを有している。コア２４及び整流子２６は、シャフト２２に固定されている。巻線２８は、コア２４に巻装されると共に、整流子２６に接続されている。
【００２７】
ヨーク１４は、有底筒状に形成されている。このヨーク１４の内側には、電機子１２が回転可能に収容されている。マグネット１６は、ヨーク１４の内周面に固定されており、コア２４の径方向外側にコア２４と対向して配置されている。ヨーク１４における開口側の端部には、ブラシホルダ装置２０が設けられている。
【００２８】
ブラシホルダ装置２０は、図２に示されるように、ハウジング３０と、一対のブラシ３２と、一対のピッグテール３４（配線部材）と、一対のスプリング３６と、一対のブラシホルダ３８と、一対のチョークコイル４０と、ターミナル４２を備えている。なお、図２では、理解の容易のために、一方のスプリング３６と、一方のブラシホルダ３８が取り外された状態（分解状態）で示されている。また、一対のチョークコイル４０の一方は、不図示とされている。
【００２９】
ハウジング３０は、樹脂製とされており、環状に形成されている。このハウジング３０の中央部には、上述の整流子２６（図１参照）を回転可能に収容する孔部４４が形成されている。このハウジング３０には、一対の凹部４６が形成されている。各凹部４６は、ハウジング３０の軸方向一方側（矢印Ｚ１側）に開口すると共に、ハウジング３０の径方向に延びている。また、各凹部４６の長手方向両側は、開口している。この一対の凹部４６は、それぞれ孔部４４の径方向外側に位置しており、且つ、この孔部４４を中心として点対称に形成されている。なお、以下の説明において、単に軸方向、径方向、周方向を示す場合は、特に断りのない限り、ハウジング３０の軸方向、径方向、周方向を示すものとする。
【００３０】
ブラシ３２は、凹部４６に収容されている。このブラシ３２は、凹部４６の長手方向（径方向）に移動可能とされている。このブラシ３２は、上述の電機子１２の回転に伴い整流子２６（いずれも図１参照）と摺接される。
【００３１】
ピッグテール３４は、ブラシ３２と接続されている。このピッグテール３４は、ブラシ３２の上面３２Ａから導出され、チョークコイル４０と接続されている。チョークコイル４０は、ハウジング３０に形成された軸部４８に組み付けられている。ターミナル４２は、ハウジング３０に固定されており、チョークコイル４０と接続されている。
【００３２】
スプリング３６は、一例として、コイルスプリングとされている。このスプリング３６は、ブラシ３２に対する径方向外側に配置されると共に、凹部４６に収容されている。また、このスプリング３６は、ブラシ３２の長手方向を軸方向として配置されている。
【００３３】
ブラシホルダ３８は、一例として、ステンレス等の板金製とされており、それぞれ板状に形成された蓋部５０及び後壁部５２を有している。蓋部５０は、軸方向視にて概略長方形状に形成されている。この蓋部５０は、ブラシホルダ３８がハウジング３０に組み付けられた状態において、凹部４６における底部と対向する開放口４６Ａを塞ぐものである。
【００３４】
この蓋部５０には、径方向を長手方向として延びるスリット５４が形成されている。このスリット５４は、径方向内側に開口すると共に径方向外側で終端している。このスリット５４の内側には、ピッグテール３４が挿入されている。
【００３５】
後壁部５２は、蓋部５０における径方向外側の端部に形成されている。この後壁部５２は、蓋部５０における径方向外側の端部から凹部４６の底部側へ折り曲げられている。この後壁部５２は、ブラシホルダ３８がハウジング３０に組み付けられた状態において、スプリング３６を径方向外側から支持する。また、スプリング３６が後壁部５２によって径方向外側から支持されることにより、ブラシ３２（図２参照）は、スプリング３６によって径方向内側に付勢される。
【００３６】
また、この後壁部５２には、上述のスプリング３６と同軸上に開口部５６が形成されている。この開口部５６は、後壁部５２を厚さ方向に見た場合に十字状を成している。
【００３７】
また、このブラシホルダ３８には、一対の係止部５８が形成されている。各係止部５８は、舌片状に形成されており、蓋部５０の両側の側部における後壁部５２側の部分から後壁部５２側へ向けて延出している。各係止部５８は、後壁部５２側に向かうに従って後壁部５２の先端部側（下端部側）へ向かうように蓋部５０に対して傾斜されている。
【００３８】
ハウジング３０の外周縁部には、軸方向を高さ方向とする外周壁部６０が形成されており、凹部４６の側壁部６２には、この外周壁部６０から径方向外側に突出する突出部６４が形成されている。また、この側壁部６２の突出部６４には、リブ６６が形成されている。リブ６６は、凹部４６の側壁部６２における高さ方向の中間部に形成されており、凹部４６の長手方向に延びている。このリブ６６の一端は、ハウジング３０の外周壁部６０に接続されている。
【００３９】
一方、リブ６６の他端には、被係止部６８が形成されている。この被係止部６８は、リブ６６から凹部４６の開放口４６Ａ側（軸方向一方側）に向けて突出する突起状に形成されている。そして、図３に示されるように、ブラシホルダ３８のハウジング３０への組付状態においては、被係止部６８が径方向外側から係止部５８と係止される。また、被係止部６８が係止部５８と係止されることにより、径方向外側へのブラシホルダ３８の移動が規制される。
【００４０】
次に、本実施形態の要部であるブラシホルダ３８のハウジング３０への組み付け部の構造について説明する。
【００４１】
図３には、ブラシホルダ３８がハウジング３０に組み付けられた状態を模式的に示した模式側面図（周方向から見た模式側面図）が示されている。この図に示されるように、ブラシホルダ３８は、凹部４６の開放端１００と第１支持部としての第１爪部１０２との間に蓋部５０の先端部５０Ａ（径方向内側の端部）が挟持されると共に、凹部４６の開放端１００と第２支持部としての第２爪部１０４との間に蓋部５０の基端部５０Ｂ（径方向外側の端部）が挟持されることによってハウジング３０に組み付けられている。
【００４２】
第１爪部１０２及び第２爪部１０４は、ハウジング３０（図２参照）と一体に形成されており、図４及び図５に示されるように、第１爪部１０２及び第２爪部１０４は、周方向一方側に配置された凹部４６の側壁部６２及び周方向他方側に配置された凹部４６の側壁部６２の軸方向一方側にそれぞれ設けられている。また、図３に示されるように、第１爪部１０２及び第２爪部１０４は、凹部４６の開放端１００（凹部４６の側壁部６２の軸方向一方側の端面）と離間してに配置されており、さらに第２爪部１０４は第１爪部１０２よりもハウジング３０の径方向外側に配置されている。
【００４３】
第１爪部１０２には、凹部４６の開放端１００側に向けて突出する隆起部１０２Ａが形成されており、これにより、第１爪部１０２において隆起部１０２Ａが形成された部位と凹部４６の開放端１００との間のクリアランスが狭まっている。これにより、ブラシホルダ３８の蓋部５０の先端部５０Ａが、第１爪部１０２の隆起部１０２Ａと凹部４６の開放端１００との間に挟持されるようになっている。なお、本実施形態では、隆起部１０２Ａの構成をわかり易くするために、当該隆起部１０２Ａの突出量を誇張して表現している。
【００４４】
第２爪部１０４の軸方向他方側の面１０４Ａは平面とされており、この第２爪部１０４の軸方向他方側の面１０４Ａは凹部４６の開放端１００と平行に延びている。
【００４５】
図６〜図９に示されるように、ブラシホルダ３８の蓋部５０は、径方向外側から見て板厚方向に湾曲されている。具体的には、図８及び図９に示されるように、蓋部５０は、周方向の中間部が軸方向一方側に向けて凸状となるように湾曲されており、これにより、蓋部５０の軸方向一方側の面５０Ｃ及び軸方向他方側の面５０Ｄがそれぞれ所定の曲率半径Ｒ１，Ｒ２の曲面となっている。そして、ブラシホルダ３８がハウジング３０に組み付けられた後の蓋部５０が、ブラシホルダ３８がハウジング３０に組み付けられる前の蓋部５０に比して撓むように、蓋部５０の厚みや蓋部５０の軸方向一方側の面５０Ｃ及び軸方向他方側の面５０Ｄの曲率半径Ｒ１，Ｒ２が設定されている。
【００４６】
また、蓋部５０の先端部５０Ａの軸方向への寸法Ｔ１は、第１爪部１０２において隆起部１０２Ａが形成された部位と凹部４６の開放端１００との間のクリアランス（図３参照）よりも狭く設定されている。これにより、蓋部５０の先端部５０Ａが、第１爪部１０２において隆起部１０２Ａが形成された部位と凹部４６の開放端１００との間に挿入された際に、蓋部５０の先端部５０Ａが撓むようになっている。また、本実施形態では、第２爪部１０４と凹部４６の開放端１００との間のクリアランス（図３参照）が、蓋部５０の先端部５０Ａの軸方向への寸法Ｔ１よりも広く設定されている。
【００４７】
図６、図７及び図９に示されるように、蓋部５０の基端部５０Ｂにおける軸方向一方側の面５０Ｃには、第２爪部１０４側に向けて突出する複数の隆起部５０Ｅが形成されている。本実施形態では、周方向一方側に２つの隆起部５０Ｅが周方向に隣り合って形成されており、また周方向他方側に２つの隆起部５０Ｅが周方向に隣り合って形成されている。なお、本実施形態では、隆起部５０Ｅの構成をわかり易くするために、当該隆起部５０Ｅの突出量を誇張して表現している。
【００４８】
また、蓋部５０の基端部５０Ｂにおいて隆起部５０Ｅが形成された部位の軸方向への寸法Ｔ２は、第２爪部１０４と凹部４６の開放端１００との間のクリアランス（図３参照）よりも狭く設定されている。これにより、蓋部５０の基端部５０Ｂが、第２爪部１０４と凹部４６の開放端１００との間に挿入された際に、蓋部５０の基端部５０Ｂが撓むようになっている。
【００４９】
（本実施形態の作用並びに効果）
次に、本実施形態の作用並びに効果について説明する。
【００５０】
図２に示されるように、以上説明したブラシホルダ装置２０は、次の要領で組み立てることができる。すなわち、先ず、ハウジング３０に形成された凹部４６にブラシ３２が収容される。ブラシ３２には、予めピッグテール３４が接続されており、ブラシ３２からは、ピッグテール３４が導出されている。次いで、スプリング３６が凹部４６に収容されると共に、蓋部５０と後壁部５２を有するブラシホルダ３８がハウジング３０に組み付けられる。このとき、ブラシホルダ３８は、ハウジング３０の径方向外側から組み付けられる。
【００５１】
すなわち、図１０に示されるように、ブラシホルダ３８の蓋部５０が凹部４６の開放端１００と第１爪部１０２及び第２爪部１０４との間に径方向内側に向けて挿入され、蓋部５０の先端部５０Ａが凹部４６の開放端１００と第１爪部１０２との間に挟持されると共に蓋部５０の基端部５０Ｂが凹部４６の開放端１００と第２爪部１０４との間に挟持されることによって、ブラシホルダ３８がハウジング３０に組み付けられる。
【００５２】
このように、本実施形態のブラシホルダ装置２０によれば、ハウジング３０にブラシ３２を組み付けた後に、ブラシホルダ３８の蓋部５０を凹部４６の開放端１００と第１爪部１０２及び第２爪部１０４との間に挿入するという単純な工程により、ブラシホルダ３８をハウジング３０に組み付けることができる。これにより、ブラシホルダ装置２０の組付工数を削減することができる。
【００５３】
また、本実施形態では、ブラシホルダ３８の蓋部５０を上記のように湾曲している。これにより、本実施形態のブラシホルダ装置２０を含んで構成されたモータに振動が加わった際に、或いは、凹部４６に収容されたブラシ３２が軸方向に振動した際に、当該振動を蓋部５０が撓むことによって吸収することができる。
【００５４】
さらに、本実施形態では、蓋部５０の先端部５０Ａが凹部４６の開放端１００と第１爪部１０２との間に挟持されると共に蓋部５０の基端部５０Ｂが凹部４６の開放端１００と第２爪部１０４との間に挟持されると、蓋部５０において前記挟持された部分が撓む（曲率半径が大きくなるように撓む、即ち、湾曲を矯正する方向に弾性変形する）。
【００５５】
ここで、本実施形態では、蓋部５０がハウジング３０の径方向外側から見て板厚方向に湾曲されていることにより、蓋部５０を凹部４６の開放端１００と第１爪部１０２及び第２爪部１０４との間にそのまま挿入することが可能となる。
【００５６】
これに対して、蓋部５０がハウジング３０の周方向から見て板厚方向に湾曲されている場合にあっては、蓋部５０を凹部４６の開放端１００と第１爪部１０２及び第２爪部１０４との間に挿入する際に、当該蓋部５０の湾曲具合をチューニングしながら、当該蓋部５０を凹部４６の開放端１００と第１爪部１０２及び第２爪部１０４との間に挿入することが必要である。すなわち、当該構成においては、ブラシホルダ３８の組み付け作業の自動化を図ることが難しいが、本実施形態では、ブラシホルダ３８の組み付け作業の自動化を図ることが可能となる。
【００５７】
また、図３に示されるように、本実施形態では、凹部４６の開放端１００と第２爪部１０４との間のクリアランスが、蓋部５０の先端部５０Ａの寸法よりも広く設定されている。これにより、図１０に示されように、ブラシホルダ３８をハウジング３０に組み付ける際に、蓋部５０の先端部５０Ａを凹部４６の開放端１００と第２爪部１０４との間にフリクション感なく挿入させることができる。これにより、本実施形態では、ブラシホルダ３８のハウジング３０への組み付け性を向上させることができる。
【００５８】
さらに、本実施形態では、上記ブラシホルダ装置２０を含んで回転電機１０が構成されていることにより、回転電機１０の組付工数を削減することができる。
【００５９】
なお、本実施形態では、凹部４６の開放端１００と第２爪部１０４との間のクリアランスを蓋部５０の先端部５０Ａの寸法よりも広く設定した例について説明してきたが、本発明はこれに限定されるものではない。凹部４６の開放端１００と第２爪部１０４との間のクリアランスを蓋部５０の先端部５０Ａの寸法よりも広く設定するか否かについては、蓋部５０を凹部４６の開放端１００と第１爪部１０２及び第２爪部１０４との間に挿入する際の作業性等を考慮して適宜設定すればよい。
【００６０】
また、本実施形態では、第１爪部１０２に上記隆起部１０２Ａを形成した例について説明してきたが、本発明はこれに限定されない。隆起部１０２Ａを設けずに、第１爪部１０２と凹部４６の開放端１００との間のクリアランスを単に狭めた構成とすることもできる。
【００６１】
さらに、本実施形態では、蓋部５０の基端部５０Ｂに隆起部５０Ｅを形成した例について説明してきたが、本発明はこれに限定されない。例えば、隆起部５０Ｅを設けずに、蓋部５０の基端部５０Ｂの厚みを厚くした構成とすることもできる。
【００６２】
（変形例に係るブラシホルダ）
次に、図１１〜図１３を用いて変形例に係るブラシホルダについて説明する。なお、上記実施形態と同一の機能を有する部材及び部分については上記実施形態と同一の符号を付してその説明を省略する。
【００６３】
図１１及び図１２に示されるように、本変形例に係るブラシホルダ３８の蓋部５０には、上記実施形態の隆起部５０Ｅ（図７参照）に対応する隆起部５０Ｆが形成されている。この隆起部５０Ｆは、第２爪部１０４（図３参照）側に向けて突出する凸状に形成されていると共に、隆起部５０Ｆの突出方向の先端部は緩やかに湾曲している。また、蓋部５０の長手方向の中間部には、上記実施形態の係止部５８（図２参照）に対応する係止部５９が形成されている。
【００６４】
さらに、蓋部５０におけるスリット５４の縁部には、凹部４６の開放端１００（図１３参照）側に向けて突出する（隆起部５０Ｆが突出する方向とは反対側へ向けて突出する）凸状部５０Ｇが形成されている。この凸状部５０Ｇは、平面視で蓋部５０の長手方向と同方向を長手方向とする矩形状に形成されている。また、この凸状部５０Ｇは、蓋部５０における凹部４６の開放端１００と第１爪部１０２（図３参照）との間に挟持される部分（以下「第１挟持部Ｓ１」という）と凹部４６の開放端１００と第２爪部１０４（図３参照）との間に挟持される部分（以下「第２挟持部Ｓ２」という）との間の部分に形成されている。そして、図１３に示されるように、ブラシホルダ３８がハウジング３０へ組み付けられることで、凸状部５０Ｇの突出方向の先端側の面と凹部４６の開放端１００とが当接するようになっている。
【００６５】
以上説明した本変形例では、蓋部５０に形成された凸状部５０Ｇを凹部４６の開放端１００に当接させることにより、蓋部５０の固有周波数（固有振動数）を高くすることができる。これにより、蓋部５０が振動することによるノイズを低減することができる。なお、本変形例では、蓋部５０に形成された凸状部５０Ｇを凹部４６の開放端１００に当接させることにより、蓋部５０の固有周波数が人間の可聴域を超える或いは人間が聞こえ難い固有周波数となるように、凸状部５０Ｇの形状等が調節されている。
【００６６】
（変形例に係るハウジング）
次に、図１４を用いて変形例に係るハウジングについて説明する。なお、上記実施形態等と同一の機能を有する部材及び部分については上記実施形態等と同一の符号を付してその説明を省略する。
【００６７】
図１４に示されるように、本変形例に係るハウジングでは、凹部４６の開放端１００において第１爪部１０２（図３参照）と対向している部分と第２爪部１０４（図３参照）と対向している部分との間の部分に、ブラシホルダ３８の蓋部５０側に向けて突出する凸状部１００Ａが形成されている。この凸状部１００Ａは、凹部４６の開放端１００におけるブラシ３２（図２参照）が配置される側の端部に沿って形成されている。そして、ブラシホルダ３８がハウジング３０へ組み付けられることで、凸状部１００Ａの突出方向の先端側の面と蓋部５０の軸方向他方側の面５０Ｄ（蓋部５０におけるスリット５４の縁部）とが当接するようになっている。
【００６８】
以上説明した本変形例に係るハウジングによれば、凸状部１００Ａの突出方向の先端側の面と蓋部５０の軸方向他方側の面５０Ｄとを当接させることにより、蓋部５０の固有周波数（固有振動数）を高くすることができる。これにより、蓋部５０が振動することによるノイズを低減することができる。
【００６９】
（他の変形例に係るブラシホルダ及び他の変形例に係るハウジング）
次に、図１５を用いて他の変形例に係るブラシホルダ及び他の変形例に係るハウジングについて説明する。なお、上記実施形態等と同一の機能を有する部材及び部分については上記実施形態等と同一の符号を付してその説明を省略する。
【００７０】
図１５に示されるように、本変形例では、蓋部５０のスリット５４側の縁部における第１挟持部Ｓ１と第２挟持部Ｓ２との間の部位が、ハウジングに複数箇所で接している点に特徴がある。具体的には、蓋部５０における第１挟持部Ｓ１と第２挟持部Ｓ２との間の部位を当該蓋部５０の長手方向に略三等分する位置において、蓋部５０と凹部４６の側壁部６２（図３参照）とが４箇所で当接している。なお、蓋部５０と凹部４６の側壁部６２とが当接している部位を「中間当接部Ｃ」というものとする。
【００７１】
また、中間当接部Ｃにおいては、ブラシホルダ３８の蓋部５０に凸状部が形成される或いは凹部４６の開放端１００に凸状部が形成されることで、蓋部５０と凹部４６の側壁部６２とが当接している。
【００７２】
以上説明した本変形例では、蓋部５０と凹部４６の側壁部６２とを中間当接部Ｃで当接させることにより、蓋部５０の固有周波数（固有振動数）を高くすることができる。これにより、蓋部５０が振動することによるノイズを低減することができる。
【００７３】
以上、本発明の一実施形態について説明したが、本発明は、上記に限定されるものでなく、その主旨を逸脱しない範囲内において上記以外にも種々変形して実施することが可能であることは勿論である。
【符号の説明】
【００７４】
１０…回転電機，１２…電機子，２０…ブラシホルダ装置，２６…整流子，３０…ハウジング，３２…ブラシ，３４…ピッグテール，３６…スプリング，３８…ブラシホルダ，４６…凹部，５０…蓋部，５０Ａ…先端部（蓋部の一部），５０Ｂ…基端部（蓋部の他部），５０Ｇ…凸状部，５２…後壁部，１００…凹部の開放端，１００Ａ…凸状部，１０２…第１爪部（支持部，第１支持部），１０４…第２爪部（支持部，第２支持部）
【図１】
2015208212.tif 000003
【図３】
2015208212.tif 000004
【図４】
2015208212.tif 000005
【図５】
2015208212.tif 000006
【図６】
2015208212.tif 000007
【図７】
2015208212.tif 000008
【図８】
2015208212.tif 000009
【図９】
2015208212.tif 000010
【図１０】
2015208212.tif 000011
【図１１】
2015208212.tif 000012
【図１２】
2015208212.tif 000013
【図１３】
2015208212.tif 000014
【図１４】
2015208212.tif 000015
【図１５】
2015208212.tif 000016
【図２】
2015208212.tif 000017